(57)【要約】【課題】ニップロールの、支持ロールからの離隔変位を可能とすることで、シート状部材等の繰出し先端部分の通し作業等の作業能率を大きく高め、また、作業の安全性および確実性を十分に確保できるニップ装置を提供する。【解決課題】両端を支持されて、連続的または間欠的に走行変位されるシート状部材またはフィルム上部材を、回転下で、支持ロール５に押圧するニップロール８を具えるものであり、ニップロール８のそれぞれの端部を回転自在に支持するそれぞれの端部ブロック１０を設けるとともに、それらの端部ブロック１０に、ニップロール８の回転中心ＣＲから偏心して位置する偏心軸１２を貫通させて固定し、この偏心軸１２のそれぞれの端部分を、支持フレーム１３に回動可能に支持してなる。【選択図】　　　　図３
2004107039.tif 000002
【特許請求の範囲】
【請求項１】
両端を支持されて、連続的または間欠的に走行変位されるシート状部材またはフィルム状部材を、回転下で支持ロールに押圧するニップロールを具えるニップ装置において、
ニップロールのそれぞれの端部を回転自在に支持するそれぞれの端部ブロックを設けるとともに、それらの端部ブロックに、ニップロールの回転中心から偏心して位置する偏心軸を貫通させて固定し、この偏心軸のそれぞれの端部分を、支持フレームに回動可能に支持してなるニップ装置。
【請求項２】
偏心軸の少なくとも一方の端部に、その偏心軸の回動変位をもたらす握りを設けてなる請求項１に記載のニップ装置。
【請求項３】
ニップロールの少なくとも一方の端部側を支持ロールに押圧するばね手段を設けてなる請求項１もしくは２に記載のニップ装置。
【請求項４】
偏心軸の少なくとも一方の端部にカム部材を固定し、このカム部材を、ニップロールの、支持ロールへの押圧状態を維持する姿勢に拘束するばね手段を設けてなる請求項１〜３のいずれかに記載のニップ装置。
【請求項５】
ばね手段を、カム部材によって偏心軸の半径方向に変位される加圧ピースと、この加圧ピースを偏心軸の中心方向に付勢するばね部材とで構成してなる請求項３もしくは４に記載のニップ装置。
【請求項６】
偏心軸の少なくとも一端側をボスを介して支持フレームに取付け、このボスに、カム部材の回動変位を案内するとともに、加圧ピースの半径方向の変位を案内する一以上の案内部材を設け、この案内部材の、加圧ピースの配設位置とは反対側にばね部材を配設してなる請求項５に記載のニップ装置。
【請求項７】
加圧ピースを、偏心軸の直径方向に対抗して位置する二個のそれぞれの案内部材に貫通するガイドロッドによりそれらの案内部材に取付けてなる請求項６に記載のニップ装置。
【請求項８】
ばね部材を圧縮ばねとしてなる請求項５〜７のいずれかに記載のニップ装置。
【請求項９】
カム部材を、周面にカム面を有し、カム面の一部を、横断面内で、弦状をなすほぼ平坦な切欠面とした柱状部材により構成してなる請求項４〜８のいずれかに記載のニップ装置。
【請求項１０】
ボスの外径を、偏心軸の軸線を中心として、ニップロールの外輪郭線を内包する寸法としてなる請求項６〜９のいずれかに記載のニップ装置。
【請求項１１】
請求項１〜１０のいずれかに記載のニップ装置を、共通の支持ロールの周りに、それの円周方向に間隔をおいて、ニップロール軸線を支持ロール軸線とほぼ平行にして複数個配設してなる作業装置。
【請求項１２】
ニップ装置間に、支持ロールと協働する作業ロールを配設してなる請求項１１に記載の作業装置。
【発明の詳細な説明】
【０００１】
【発明の属する技術分野】
この発明は、連続的または間欠的に走行変位される、プラスチック、紙、金属箔、複合紙等のシート状部材またはフィルム状部材に、印刷、型抜き、裁断、厚みの中間位置までのハーフカット等を施すに当り、そのシート状部材またはフィルム状部材を、通常は弾性周面を有するニップロールをもって支持ロールの周面に十分に押圧して、そのシート状部材等の、たとえば一定速度での走行を担保するニップ装置およびそれを用いた作業装置に関するものであり、たとえば、テープ形態その他の形態をなすシート状部材の繰出し先端部分の、所定の巻掛け経路への通し作業を簡単にする他、シート状部材がそれの接合部等においてロール部材その他に絡み付いた場合の、その絡み付き部分の取り除き作業等を簡単かつ容易にし、併せて、それらの作業の安全性および確実性を高める技術を提案するものである。
【０００２】
【従来の技術】
支持ロールの周面に、たとえばゴム製の弾性表面層を有するニップロールを所要の力で押圧する従来のニップ装置では、ニップロールを、シリンダその他を用いて支持ロールに対して進退変位させる大型のものを除き、ニップロールの軸線位置が、装置の分解なしには、支持ロールに対して常に一定位置に固定されるようにニップロールを組付けることが一般的である。
【０００３】
【発明が解決しようとする課題】
従って、このようなニップ装置の下で、たとえば、シート状部材の繰出し先端部分を、支持ロールとニップロールとの間その他を経て、所定の巻掛け経路に通過させる場合には、その繰出し先端部分を、作業装置の駆動部を寸動させながら、作業者の手によって所定の個所に順次に通過させることが必要になる。従って、繰出し先端部分のこのような通し作業に当っては、作業工数が嵩むとともに、作業の安全性に対する懸念があり、また、繰出し先端部分の後方側への連続部分を、そこにしわ等を発生させることなく、所期した通りの位置に正確に通過させることが難しい等の問題があった。
そしてこれらのことは、シート状部材の、ロール部材等への絡み付き部分、巻き付き部分等を、ニップ装置を分解することなしに取り除く場合にもまた同様であった。
【０００４】
この発明は、従来技術が抱えるこのような問題点を解決することを課題とするものであり、それの目的とするところは、ニップロールの、支持ロールからの離隔変位を可能とすることで、前述したようなそれぞれの作業の作業能率を大きく高めることができ、また、作業の安全性および確実性を十分に確保することができるニップ装置およびそれを用いた作業装置を提供するにある。
【０００５】
【課題を解決するための手段】
この発明に係るニップ装置は、両端を支持されて、連続的または間欠的に走行変位されるシート状部材またはフィルム状部材を、回転下で支持ロールに押圧するニップロールを具えるものであり、ニップロールのそれぞれの端部を回転自在の支持するそれぞれの端部ブロックを設けるとともに、それらの端部ブロックに、ニップロールの回転中心から偏心して位置する偏心軸を貫通させて固定し、この偏心軸のそれぞれの端部分を、支持フレームに回動可能に支持したものである。
【０００６】
このニップ装置では、ニップロールの、端部ブロックに対する回転中心から偏心して両端部ブロックに貫通する偏心軸を所要に応じて回動させることにより、簡単な構造の下で、装置の分解等を必要とすることなく、そのニップロールの回転中心、ひいては、ニップロールそれ自体を支持ロールに対して容易に、かつ確実に接近および離隔変位させることができる。従って、シート状部材等の繰出し先端部分を所定の経路に通過させる場合、および、そのシート状部材等の、ロール部材その他への絡み付き部分その他を取り除く場合等には、ニップロールを支持ロールから離隔させることにより、それらの作業を、高い作業能率の下で、十分安全に、しかも所期した通りの精度で、確実かつ容易に行うことができる。
【０００７】
この一方で、所要の作業を終えた後は、偏心軸を再び回動変位させることで、ニップロールの回転中心の、支持ロールへの近接変位に基いて、そのニップロールを、支持ロールの表面に、所期した通りに密着させることができ、かかる状態の下では、印刷、型抜き、裁断等の所定の作業を開始ないしは継続することができる。
【０００８】
ここで、偏心軸の少なくとも一方の端部に、その偏心軸の回動変位をもたらす握りを設けた場合には、その偏心軸の、所要に応じた回動操作を、より容易にかつ確実に行うことができる。
【０００９】
また、ニップロールの少なくとも一方の端部側を支持ロールに押圧するばね手段を設けた場合には、ニップロールの、支持ロール表面への密着力を適正に高めることができる。
【００１０】
これがためには、偏心軸の少なくとも一方の端部分にカム部材を固定するとともに、そのカム部材を、ニップロールの、支持ロールへの押圧状態を維持する姿勢に拘束するばね手段を設けることが好ましい。
これによれば、ばね手段をもってカム部材を拘束することで、ニップロールの回転中心を、ばね手段のばね力に応じた力で支持ロール側へ付勢して、そのニップロールを、支持ロールの表面に所要の力で押圧することができる。
【００１１】
これに対し、ばね手段のばね力に抗して、カム部材を偏心軸とともに回転変位させた場合には、ニップロールの回転中心、ひいては、ニップロールそれ自体を支持ロールから離隔させることができる。従って、カム部材をこの回転姿勢に保持することで、シート状部材の繰出し先端部分の通し作業その他を、駆動部を寸動等させるまでもなく、安全かつ確実に、しかも簡易迅速に行うことができる。
【００１２】
ところで、ばね手段は、カム部材によって偏心軸の半径方向に変位される、カム従節としての加圧ピースと、この加圧ピースを偏心軸の中心方向に付勢するばね部材とで構成することができ、この場合は、引張りタイプもしくは圧縮タイプとすることができる。ばね部材のばね力を、加圧ピースを介してカム部材に作用させることで、ニップロールの、上述したような作用をもたらすことができる。
【００１３】
なおこの場合は、偏心軸の少なくとも一端部をボスを介して支持フレームに取付け、そのボスに、カム部材の回動変位および、加圧ピースの半径方向の変位を直接的もしくは間接的に案内する一以上の案内部材を設け、この案内部材の、加圧ピースの配設位置とは反対側にばね部材を配設することが好ましく、これによれば、ばね手段をボスに取付けるとともに、案内部材をも含めて、ばね手段を小型に構成することができる。
【００１４】
ここで、加圧ピースを、偏心軸の直径方向に対抗して位置する二個のそれぞれの案内部材に貫通するガイドロッドを介してそれらの案内部材に取付けたときは、二本のガイドロッドの作用下で、加圧ピースの、偏心軸軸心に対する半径方向変位を、こじりの発生等なしに、より円滑に行わせることができる。
【００１５】
またここで、ばね部材を、たとえば、案内部材と、ガイドロッドとの間に配設した圧縮ばねとしたときは、ばね手段を一層小型にすることができ、そのばね手段をボス以外の構成部分から完全に独立させることができる。
【００１６】
このような装置において、カム部材は、適宜の形状およびカム構造を有するものを選択し得ることはもちろんであるが、それを、周面にカム面を有し、カム面の一部を、それの横断面内で弦状をなすほぼ平坦な切欠面とした柱状部材により構成したときは、カム部材の形状および構造を極めて簡単なものとすることができ、また、ばね部材のばね力を、加圧ピースを介して、カム部材のほぼ平坦な切欠面に作用させることで、ニップロールを十分安定した状態で支持ロールに定常的に押圧することができる。
【００１７】
ここにおいて好ましくは、ボスの外径を、偏心軸の軸線を中心として、ニップロールの外輪郭線を内包する寸法とする。
この構成によれば、ニップロールの、支持フレームに対する脱着が必要になった場合に、支持フレームに固定したボスを、その支持フレームから解放した状態で、ニップロールを、ボスとともに、それらの軸線方向に変位させることで、ニップロールを支持フレームに干渉させることなく、作業装置等の外方へ、簡単かつ容易に、一体的に抜き出すことができる。
【００１８】
この一方で、ニップロールの装着は、たとえば、偏心軸の所定位置に予めボスを取付けた状態で、そのニップロールを、支持フレームの、ボス取付け部分を経て軸線方向に押込むとともに、それを、所定の位置まで押込んで後、ボスを、支持フレームに、ボルト固定等して取付けることによって、これもまた簡単かつ容易に行うことができる。
【００１９】
そしてまた、この発明に係る作業装置は、上述したニップ装置のいずれかを、一の共通の支持ロールの周りに、それの円周方向に間隔をおいて、ニップロール軸線を支持ロール軸線とほぼ平行にして複数配設したものである。
ここでより好ましくは、ニップ装置間に、支持ロールと協働する一もしくは複数の作業ロールを配設する。
【００２０】
この装置によれば、一の支持ロールの周りの複数個所で、一のまたは複数のシート状部材等に、同一種類のまたは複数種類の加工を同時にもしくは順次に施すことができる。
【００２１】
【発明の実施の形態】
以下にこの発明の実施の形態を図面に示すところに基づいて説明する。
図１は、この発明に係るニップ装置を複数配設してなる作業装置を、手前側の支持フレームを取り外して示す正面図であり、図２は、その作業装置の要部拡大斜視図である。
【００２２】
図１に示すところにおいて、１は作業装置の駆動系を収納するハウジングを示し、２は、そのハウジング１に突設されて、たとえば、テープ状の形態をなすシート状部材の巻回ロールからの、シート状部材の繰出軸を、３は、これもハウジングに突設されて、たとえば、型抜きされた複合紙の不要部分を巻き取る巻取軸をそれぞれ示し、また４は、シート部材に所要の加工を施した後の製品巻取軸を示す。
【００２３】
ここでは、ハウジング１の中央部分に、共用の支持ロール５を突設するとともに、この支持ロール５の周りに、複数、図では六台のニップ装置６を周方向に間隔をおいて配設し、そしてこれらのニップ装置間で、図では三本の作業ロール７をハウジング１に突設させて設ける。
【００２４】
ここでニップ装置６は、巻回ロールから連続的または間欠的に繰出されたシート状部材を支持ロール５に押圧するニップロール８を具えてなり、また、作業ロール７は、たとえばマグネットロールに、作業手段の一例としての抜型９を磁気吸着させてなる。
【００２５】
このようにして配設できる各ニップ装置６は、図３に部分断面図正面図で例示するように、多くは、表面層をゴムその他の弾性材料層としてなるニップロール８の両端を、それぞれの端部ブロック１０で、ベアリング１１を介して回転自在に支持するとともに、それらの端部ブロック１０に、ニップロール８の回転中心ＣＲから偏心して位置する偏心軸１２を貫通させて固定し、この偏心軸１２のそれぞれの端部分をそれぞれの支持フレーム１３、図２に示すところでは前後の両支持フレーム１３に回動可能に支持してなる。
【００２６】
このようなニップ装置６では、好ましくは、偏心軸１２の少なくとも一端に固定した握り１４を介して、その偏心軸１２を回動させることにより、ニップロール８の回転中心ＣＲ、ひいては、ニップロールそれ自身を、支持ロール５の表面に近づく位置と遠去かる位置とにわたって変位させることができる。
【００２７】
ところで、それぞれの支持フレーム１３による偏心軸１２の支持は、その軸１２の両端部分をともに、軸受けボスを介して行い得ることはもちろんであるが、図に示すところでは、後方側の支持フレーム１３に対しては、そこに装着した軸受けメタル１５に偏心軸１２を直接的に差込む一方で、手前側の支持フレーム１３に対しては、その支持フレーム１３に取付けた、軸受けメタル１６を有するボス１７に、偏心軸１２を挿通させることによってそれの支持を行っている。
【００２８】
この場合、ボス１７の、支持フレーム１３への取付けは、たとえば、支持フレーム１３の貫通穴内へ嵌め込んだボス１７を、支持フレーム１３に螺合させたねじ１８によって締付け固定することより行うことができ、また、このようなボス１７に対する、偏心軸１２の抜け止めは、これもたとえば、偏心軸上に固定したカラー１９をボス１７に接触させることにより行うことができる。
【００２９】
この一方で、偏心軸１２は、ひいては、ニップロール８の、後方側支持フレーム１３の方向への相対変位は、偏心軸上に、ボス１７に対してカラーとは反対側でそのボスに接触するカム部材２０を固定することにより阻止することができる。
【００３０】
ここでこのカム部材２０は、たとえば、円柱状をなす柱状部材２１の、円周方向の一個所にほぼ平坦な切欠面２２をもうけることによって形成した周面カムを有するものとすることができ、このようなカム部材２０の、偏心軸１２への取付けは、ほぼ平坦な切欠面２２が、偏心軸軸線に対し、ニップロール８の回転中心ＣＲのほぼ反対側に位置する姿勢として行う。
【００３１】
なお、このようなカム部材２０の切欠面２２は、平坦面形状であることは必須ではなく、後述する加圧ピースの、その切欠面２２への掛合姿勢を十分安定なものとできる限りにおいて、それらの両者の掛合面の相対関係の下で、凸曲面、凹曲面その他の形状を、所要に応じて適宜に選択することができる。
【００３２】
またここでは、ニップロール８の少なくとも一端部側、図に示すところではボス１７の配設側の、支持ロール５への押圧を可能とするために、カム部材２０の切欠面２２を図の下方側へ押圧するばね手段２３を設ける。図示のこのばね手段２３は、図４に、握り１４を取り外した左側面図で示すように、ボス１７から偏心軸１２の軸端側へ突設されて、カム部材２０をそれの両端部から挟んで、カム部材２０の回動変位を案内する一対の案内部材２４に、図の上下方向に貫通するそれぞれの孔を設け、そして、カム部材２０の切欠面２２に接触する板状の加圧ピース２５に植設した二本のガイドロッド２６をそれらの貫通孔に挿通させ、さらに、これらのガイドロッド２６の下端と、各案内部材２４との間に圧縮ばね２７を介装することにより構成することができる。
【００３３】
このようなばね手段２３によれば、圧縮ばね２７のばね力に基づいて、加圧ピース２５で、カム部材２０の切欠面２２を圧下することにより、ニップロール８は、それの回転中心ＣＲと偏心軸軸線との偏心量に応じて支持ロール表面に押圧されることになり、この押圧状態は、圧縮ばね２７の作用下で、加圧ピース２５の、切欠面２２への掛合姿勢が維持される限りにおいて継続されることになる。
【００３４】
この一方で、加圧ピース２５は、偏心軸１２とともに、カム部材２０を回動させることにより、そのカム部材２０のカム面の作用下で、図５（ａ）に示すように、圧縮ばね２７のばね力に抗して、偏心軸１２の半径方向外方へ平行変位されることになり、偏心軸１２のこのような回動変位は、ニップロール８の回転中心ＣＲの、支持ロール５からの離隔変位をもたらすので、そのニップロール８は、図５（ｂ）に示すように、支持ロール５の表面から持ち上げられることになり、支持ロール５のこの持ち上げ姿勢は、加圧ピース２５を、カム面によって、それの、切欠面２２への掛合位置よりも半径方向外方に拘束することで維持されることになる。
したがって、ばね手段２３は、支持ロール５のこのような持ち上げ姿勢の下ではそれ本来の機能を発揮することはない。
【００３５】
ところで、このようなニップ装置においてより好ましくは、図５（ａ）に示すように、ボス１７の、支持フレーム１３への貫通部の外径Ｄを、偏心軸１２の軸線を中心として、図に破線で示す、ニップロール８の外輪郭線を内包する寸法とする。
これによれば、先にも述べたように、ニップロール８の、それぞれの支持フレーム１３に対する脱着を、手前側の支持フレーム１３に対するボス１７の抜き出しおよび入れ込みと併せて、円滑かつ容易に、しかも、ニップロール８と、支持フレーム１３等との干渉のおそれなしに行うことができる。
【００３６】
図１および２に示す各ニップ装置６をこのように構成したところにおいて、たとえば、図１に示す一の繰出軸２および巻取軸３と、製品巻取軸４とを用いて、予めラベル印刷等を施されたテープ状の複合紙の巻回ロール３１に、抜型９を取り付けた一の作業ロール７によって抜き加工を施すに当たっては、はじめに、巻回ロール３１から引き出したシート状部材３２の先端部分を、作業ロール７の後退姿勢の下で、支持ロール５から、図５（ｂ）に示すように離隔変位させたそれぞれのニップロール８と支持ロール５との間に通過させるとともに、製品巻取軸４上の紙管まで導いて、その周面に、たとえば粘着テープ等により固着する。
【００３７】
次いで、作業ロール７をそれの作業位置まで進出変位させて、抜型９を、シート状部材３２を介して支持ロール５に当接させるとともに、ニップロール８を、シート状部材３２の介在下で、支持ロール５に、図３に示すように密着させ、その後、支持ロール５、作業ロール７および製品巻取軸４のそれぞれを相互に等速作動させて、巻回ロール３１から繰出されるシート状部材３２を、ニップロール８による支持ロール５への押圧下で連続的に定速走行させるとともに、そのシート状部材３２に、作業ロール７による加工を施し、この加工を終えた製品を、製品巻取軸４上に巻回する一方、抜型９の作用によって発生した、いわゆる抜きかすを巻取軸３上に巻回する。
【００３８】
従って、このような作業の開始に当たっては、とくには、ニップロール８の、支持ロール５からの離隔変位により、シート状部材３２の繰り出し先端部分の、所定の経路への通し作業を、簡易迅速に、かつ十分安全に行うことができ、しかも、シート状部材３２を、所期した通りの位置に、しわ等の発生なしに正確に通過させることができる。
そしてこれらのことは、図１に示す、他の繰出軸２、他の巻取軸３および他の作業ロール７等を用いて所要の作業を行う場合にも同様である。
【００３９】
ところで、一以上の作業ロール７の作用の下で、巻回ロールから繰り出されたシート状部材に、所定の加工を施している途中で、そのシート状部材の、ロール部材その他への不測の絡み付き、巻き付き等が発生した場合には、すべての駆動ロールの停止下で、シート状部材の通過経路に存在するすべてのニップロール８を支持ロール５から離隔させることにより、より好ましくは、これと併せて、作業ロール７をもまた後退させることにより、絡み付き部分等を、駆動部の寸動等なしに、簡易迅速に、しかも、安全かつ確実に取り除くことができる。
【００４０】
【発明の効果】
かくしてこの発明によれば、とくには、簡単な構造の下で、ニップロールを支持ロールから離隔変位させることができるので、小型にして安価な装置によって、シート状部材等の繰り出し先端部分の、所定の経路への通し作業、そのシート状部材等の絡み付き部分その他の除去作業等を極めて能率的に、しかも安全かつ確実に行うことができる。
【図面の簡単な説明】
【図１】この発明に係るニップ装置を用いた作業装置の要部を示す正面図である。
【図２】図１の要部拡大斜視図である。
【図３】ニップ装置の実施形態を示す部分断面正面図である。
【図４】ばね手段を例示する左側図面である。
【図５】カム部材の回動状態を示す図である。
【符号の説明】
１　ハウジング
２　繰出軸
３　巻取軸
４　製品巻取軸
５　支持ロール
６　ニップ装置
７　作業ロール
８　ニップロール
９　抜型
１０　端部ブロック
１１　ベアリング
１２　偏心軸
１３　支持フレーム
１４　握り
１５、１６　軸受けメタル
１７　ボス
１８　ねじ
１９　カラー
２０　カム部材
２１　柱状部材
２２　切欠面
２３　ばね手段
２４　案内部材
２５　加圧ピース
２６　ガイドロッド
２７　圧縮ばね
３１　巻回ロール
３２　シート状部材
ＣＲ　回転中心
【図１】
2004107039.tif 000003
【図２】
2004107039.tif 000004
【図３】
2004107039.tif 000005
【図４】
2004107039.tif 000006
【図５】
2004107039.tif 000007